(57)【要約】  【課題】  物品保持体を引き出すという一動作でテーブルを使用状態にできて操作性が良くなり、テーブルを使用する場合でも物品保持体を使用することができるテーブル装置を提供する。  【解決手段】  カップホルダ２０をホルダ収容部１４から引き出すことによって、カップホルダ２０に設けたテーブル操作・支持部２２を移動して、このテーブル操作・支持部２２によりテーブル７を回動させた後に、このテーブル７を使用位置ロに支持する。【選択図】  図１
2006232179.tif 000002
【特許請求の範囲】
【請求項１】
装置本体に、少なくとも、物品を保持する物品保持体とテーブルとを設けたテーブル装置であって、
前記装置本体に、前記テーブルを、折畳み位置と略水平な使用位置との間で回動が可能に取付けると共に、前記装置本体に前記物品保持体を出入れ可能に設け、この物品保持体に、当該物品保持体を押し入れた際に、前記テーブルを前記折畳み位置に支持し、且つ前記物品保持体を引き出した際に、前記テーブルを前記使用位置に支持するテーブル操作・支持部を設けたことを特徴とするテーブル装置。
【請求項２】
前記装置本体に物品収納部を設け、この物品収納部の上面の開口部は蓋体で覆われており、前記テーブルは前記蓋体に隣接していて、このテーブルは前記使用位置で前記蓋体の面部と略同一平面内に位置することを特徴とする請求項１に記載のテーブル装置。
【請求項３】
前記テーブル操作・支持部の、前記物品保持体の引出し方向に位置する面部が、前記テーブルを前記折畳み位置に支持する折畳み位置支持部位であり、前記テーブル操作・支持部の頂面部が、前記テーブルを使用位置に支持する使用位置支持部位であることを特徴とする請求項２に記載のテーブル装置。
【請求項４】
前記物品収納部はアウターケース内にインナーボックスを収容して構成してあり、前記アウターケース内に前記物品収納部に隣接させて物品保持体収容部が設けてあり、前記インナーボックスに前記物品保持体収容部側に突出するようにしてテーブル保持部が設けてあり、このテーブル保持部にヒンジを介して前記テーブルを取付け、前記物品保持体を前記物品保持体収容部に出入れ可能に収容したことを特徴とする請求項２又は請求項３に記載のテーブル装置。
【請求項５】
前記物品保持体がカップホルダであり、このカップホルダの上面部に上方に突出するようにして前記テーブル操作・支持部が形成してあることを特徴とする請求項４に記載のテーブル装置。
【請求項６】
前記物品保持体が小物入れであり、この小物入れの上面部に上方に突出するようにして前記テーブル操作・支持部が形成してあることを特徴とする請求項４に記載のテーブル装置。
【発明の詳細な説明】
【技術分野】
【０００１】
本発明は、カップホルダ、小物入れ等の物品保持体とテーブルを有していて、例えば、車両用物品保持装置等に利用されるテーブル装置に関する。
【背景技術】
【０００２】
従来のテーブル装置（物品保持装置）は、アームレストの背部にアームレスト用ヒンジを介してカップホルダを設け、このカップホルダの上面部におけるヒンジ側の端部にテーブルの一端部をテーブル用ヒンジを介して取付け、カップホルダの自由端部に支持脚の上端部を回動可能に連結して構成してある。
【０００３】
そして、リヤシートの乗客がテーブル装置を使用するときには、支持脚でカップホルダを水平姿勢に支持した状態でテーブルを開き位置に回動操作する。そうすることで、カップホルダにカップ等を保持することができる。また、テーブルを使用するときには、カップホルダを上方から覆うようにテーブルを回動操作すればよい。
【０００４】
また、カップホルダ及びテーブルを使用しないときには、支持脚をカップホルダ側に回動操作すればよく、そうすればカップホルダ及びテーブルがその自重により収納位置に折り畳まれることになり、支持脚は、カップホルダ及びアームレスト間に収納される（特許文献１参照）。
【特許文献１】特開平７−２７７０５７号公報
【発明の開示】
【発明が解決しようとする課題】
【０００５】
上記した従来のテーブル装置にあっては、カップホルダ及びテーブルを支持する支持脚が別途必要であり、カップホルダを使用する際に、テーブルを回動後に、支持脚を回動してロック位置まで移動しなければならず、二動作が必要であって、操作性が悪いし、テーブルを使用する場合には、このテーブルをカップホルダに重ねなければならず、このカップホルダを使用することができないという問題点があった。
【０００６】
本発明は上記した問題点を解決するものであり、その目的とするところは、物品保持体を引き出すという一動作でテーブルを使用状態にできて操作性が良くなり、テーブルを使用する場合でも物品保持体を使用することができるテーブル装置を提供することである。
【課題を解決するための手段】
【０００７】
上記の目的を達成するために、本発明に係るテーブル装置は、装置本体に、少なくとも、物品を保持する物品保持体とテーブルとを設けたテーブル装置であって、装置本体に、テーブルを、折畳み位置と略水平な使用位置との間で回動が可能に取付けると共に、装置本体に物品保持体を出入れ可能に設け、この物品保持体に、当該物品保持体を押し入れた際に、テーブルを折畳み位置に支持し、且つ物品保持体を引き出した際に、テーブルを使用位置に支持するテーブル操作・支持部を設けたことを特徴とする。
【０００８】
かかる構成により、物品保持体を装置本体から引き出すことによって、テーブル操作・支持部も引き出されて、このテーブル操作・支持部によりテーブルを回動させて使用位置に支持することができる。このように、物品保持体を引き出すという一動作でテーブルを使用状態にすることができて操作性が良くなり、テーブルを使用する場合でも、物品保持体を使用することができる。
【０００９】
また、本発明に係るテーブル装置は、上記した本発明に係るテーブル装置において、装置本体に物品収納部を設け、この物品収納部の上面の開口部は蓋体で覆われており、テーブルは蓋体に隣接していて、このテーブルは使用位置で蓋体の面部と略同一平面内に位置することを特徴とする。
【００１０】
かかる構成により、テーブル使用時、テーブルと蓋体との隙間を少なくできて、蓋体をテーブルとして利用できて、物品等の載置面積を広く取ることができる。
【００１１】
また、本発明に係るテーブル装置は、上記した本発明に係るテーブル装置において、テーブル操作・支持部の、物品保持体の引出し方向に位置する面部が、テーブルを折畳み位置に支持する折畳み位置支持部位であり、テーブル操作・支持部の頂面部が、テーブルを使用位置に支持する使用位置支持部位であることを特徴とする。
【００１２】
かかる構成により、物品保持体が装置本体から引き出されない状態では、テーブル操作・支持部の折畳み位置支持部位がテーブルを折畳み状態に支持し、装置本体から物品収納体から引き出すことによって、テーブル操作・支持部も引き出されて、このテーブル操作・支持部によりテーブルを回動させて使用位置支持部位でテーブルを使用位置に支持することができる。
【００１３】
また、本発明に係るテーブル装置は、上記した本発明に係るテーブル装置において、物品収納部はアウターケース内にインナーボックスを収容して構成してあり、アウターケース内に物品収納部に隣接させて物品保持体収容部が設けてあり、インナーボックスに物品保持体収容部側に突出するようにしてテーブル保持部が設けてあり、このテーブル保持部にヒンジを介してテーブルを取付け、物品保持体を物品保持体収容部に出入れ可能に収容したことを特徴とする。
【００１４】
かかる構成により、物品保持体を物品保持体収容部から引き出すことによって、テーブル操作・支持部も引き出されて、このテーブル操作・支持部によりテーブルを回動させて使用位置に支持することができる。このように、物品保持体を引き出すという一動作でテーブルを使用状態にすることができて操作性が良くなり、テーブルを使用する場合でも、物品保持体を使用することができる。
【００１５】
また、本発明に係るテーブル装置は、上記した本発明に係るテーブル装置において、物品保持体がカップホルダであり、このカップホルダの上面部に上方に突出するようにしてテーブル操作・支持部が形成してあることを特徴とする。
【００１６】
かかる構成により、カップホルダにボトル等を保持させた状態で、テーブルの回動操作が可能になる。
【００１７】
また、本発明に係るテーブル装置は、上記した本発明に係るテーブル装置において、物品保持体が小物入れであり、この小物入れの上面部に上方に突出するようにしてテーブル操作・支持部が形成してあることを特徴とする。
【００１８】
かかる構成により、小物入れに小物等を保持させた状態で、テーブルの回動操作が可能になる。
【発明の効果】
【００１９】
本発明に係るテーブル装置によれば、物品保持体（カップホルダ、小物入れ等）を装置本体から引き出すことによって、テーブル操作・支持部も引き出されて、このテーブル操作・支持部によりテーブルを回動させて使用位置に支持することができる。このように、物品保持体（カップホルダ、小物入れ等）を引き出すという一動作でテーブルを使用状態にすることができて操作性が良くなり、テーブルを使用する場合でも、物品保持体を使用することができる。
【００２０】
また、本発明に係るテーブル装置によれば、テーブル使用時、テーブルと蓋体との隙間を少なくできて、蓋体をテーブルとして利用できて、載置面積を広く取ることができる。
【００２１】
また、本発明に係るテーブル装置によれば、物品保持体が装置本体から引き出されない状態では、テーブル操作・支持部の折畳み位置支持部位がテーブルを折畳み状態に支持し、装置本体から物品収納体から引き出すことによって、テーブル操作・支持部も引き出されて、このテーブル操作・支持部によりテーブルを回動させて使用位置支持部位でテーブルを使用位置に支持することができる。
【発明を実施するための最良の形態】
【００２２】
以下、図面により本発明の実施例について説明する。
【００２３】
（実施の形態２）
次に、本発明の実施の形態１を図１乃至図４に示す。
【００２４】
図１は本発明に係るテーブル装置の実施の形態１の一部破断した斜視図、図２は同テーブル装置において、カップホルダ及びテーブルを装置本体に格納した状態の斜視図、図３は同テーブル装置において、カップホルダを引出してテーブルを使用状態にした斜視図、図４は同テーブル装置の縦断面図である。
【００２５】
本発明に係るテーブル装置は、アウターケース１と、このアウターケース１に収容されるインナーボックス４と、このインナーボックス４の前部に枢支されるテーブル７と、インナーボックス４の上面の開口部４Ａを覆う蓋体１１と、物品保持体であるカップホルダ２０とを備えている。そして、アウターケース１とインナーボックス４とで装置本体を構成しており、インナーボックス４は物品収容部を構成している。
【００２６】
アウターケース１は、長方形状の底面部１Ａと左、右側面部１Ｂ、１Ｃと後面部１Ｄとを有しており、その前面と上面が開口したボックス形状である。左、右側面部１Ｂ、１Ｃの前辺部は、その上半分が傾斜部２に、その下半分が前方に突出する張出部３にそれぞれしてあり、これらの張出部３の上縁部３ａは底面部１Ａに対して平行にしてある。
【００２７】
そして、アウターケース１内は、図４に示すように、インナーボックス収容部１３と、このインナーボックス収容部１３の前方の物品保持体収容部であるホルダ収容部１４とに区画してある。このホルダ収容部１３の前面はアウターケース１の前面開口部１５であり、ホルダ収容部１４の両側部は左、右側面部１Ｂ、１Ｃの張出部３で形成してある。
【００２８】
また、図４に示すように、インナーボックス４は、その上面が開口しており、このインナーボックス４の前面部４ａの上縁部には前方に突出するようにしてテーブル保持部５が形成してある。そして、図１に示すように、テーブル保持部５にはヒンジ６を介してテーブル７が取付けてある。すなわち、テーブル保持部５にはヒンジ６の支軸６ａが取付けてあり、また、テーブル７の後面部の下縁部には支承部７ａが形成してあって、この支承部７ａを支軸６ａに支承することでテーブル保持部５にテーブル７が取付けてある。
【００２９】
また、テーブル７の後面部は、このテーブル７が蓋体１１の面部１１Ａに対して同一平面内に位置する状態で後述する蓋体側ストッパー８に衝接するテーブル側ストッパー９にしてある。
【００３０】
そして、図１に示すように、インナーボックス４はアウターケース１に収容してあり、この場合、インナーボックス４の上側辺縁部はインナーボックス４の上側辺縁部より突出していて、この突出部が蓋体嵌合部１０にしてある。
【００３１】
蓋体１１は、面部１１Ａと、その辺縁部に形成した周壁部１１Ｂとを有しており、この周壁部１１Ｂの前辺部には切欠き部１２が形成してある。この前辺部が下方の傾斜した蓋体側ストッパー８にしてある。
【００３２】
そして、蓋体１１はインナーボックス４の蓋体嵌合部１０に着脱可能に被嵌されていてインナーボックス４の上面開口部４Ａを塞いている。この場合、前辺部１１Ｃの切欠き部１２は、テーブル７が蓋体１１の面部１１Ａに対して同一平面内に位置する状態で、テーブル７の後面部の支承部７ａが挿入されるものである。
【００３３】
カップホルダ２０はボックス形状のホルダ本体２０Ａを有しており、このホルダ本体２０Ａの上面部２０ａには左右にカップ挿入凹部２１が形成してあり、また、上面部２０ａの後部には上方に突出するようにしてテーブル操作・支持部２２が形成してある。このテーブル操作・支持部２２の前面部２２ａは後傾しており、この前面部２２ａ及び頂面部２２ｂには、上下方向に沿う突条部２３が左右方向に所定の間隔をおいて形成してある。そして、テーブル操作・支持部２２の前面部２２ａである、カップホルダ引出し方向に位置する面部が、テーブル７を折畳み位置イに支持する折畳み位置支持部位であり、テーブル操作・支持部２２の頂面部２２ｂが、テーブル７を使用位置ロに支持する使用位置支持部位である。また、ホルダ本体２０Ａの前面部には取手部２４が形成してある。
【００３４】
上記のように構成されたカップホルダ２０は、アウターケース１の前面開口部１５から、このアウターケース１のホルダ収容部１４内に出入れ可能に挿入してあり、テーブル操作・支持部２２はテーブル７の背面部に、その突条部２３で接していて、このテーブル７を後傾状態に支持している。
【００３５】
次に、上記のように構成されたテーブル装置の動作を説明する。
【００３６】
図３に示すように、カップホルダ２０に、そのカップ挿入凹部２１に物品であるボトルＢを挿入して、このボトルＢを保持させた状態で、取手部２４に手の指を引っ掛けて引くことで、カップホルダ２０を前方に引き出すと、テーブル操作・支持部２２がテーブル７の背面部を前方に押すようになって、このテーブル７が支軸６ａを支点にして上方に回動する。
【００３７】
そして、テーブル操作部２２の頂面部２２ｂがテーブル７の背面部の下に位置することで、テーブル７はテーブル操作・支持部２２で支えられて、テーブル７の後面部が形成するテーブル側ストッパー９Ａが蓋体側ストッパー８に衝接して、このテーブル７が蓋体１１の面部１１Ａに対して同一平面内に位置する使用状態（使用位置ロ）になる。
【００３８】
また、カップホルダ２０をホルダ収容部１４内に押し込むことで、テーブル操作・支持部２２を後退させてテーブル７の支えを外すと、このテーブル７は支軸６ａを支点にして自重で下方に回動し、このテーブル７の背面部が、テーブル操作・支持部２２の前面部２２ａ側の突条部２３で支えられて、カップホルダ２０及びテーブル７でアウターケース１の前面開口部１５が閉塞されて図２に示す折畳み状態（折畳み位置イ）になる。
【００３９】
上記したように、本発明の実施の形態１によれば、カップホルダ２０をホルダ収容部１４から引き出すことによって、テーブル操作・支持部２２も引き出されて、このテーブル操作・支持部２２によりテーブル７を回動させて使用位置ロに支持することができる。このように、カップホルダ２０を引き出すという一動作でテーブル７を使用状態にすることができて操作性が良くなり、また、カップホルダ２０にボトルＢを保持させた状態で、テーブル７の回動操作が可能になる。
【００４０】
また、本発明の実施の形態１によれば、テーブル７の使用時、テーブル７と蓋体１１との隙間を少なくできて、蓋体１１をテーブルとして利用できて、載置面積を広く取ることができる。
【００４１】
（実施の形態２）
次に、本発明の実施の形態２を図５乃至図７に示す。
【００４２】
本発明の実施の形態２では、物品保持体として、カップホルダ２０に代えて小物入れ３０を用い、この小物入れ３０の上面部３０ａにテーブル操作・支持部２２を形成するようにしたものであり、他の構成は、上記した本発明の実施の形態１のテーブル装置と同構成である。このために、同じ符号を付して説明を省略する。
【００４３】
したがって、図６に示すように、小物入れ３０に小物（図示せず）を入れた状態で、取手部２４に手の指を引っ掛けて引くことで、小物入れ３０を前方に引き出すと、テーブル操作・支持部２２がテーブル７の背面部を前方に押すようになって、このテーブル７が支軸６ａを支点にして上方に回動する。
【００４４】
そして、テーブル操作部２２の頂面部２２ｂがテーブル７の背面部の下に位置することで、テーブル７はテーブル操作・支持部２２で支えられて、テーブル７の後面部が形成するテーブル側ストッパー９Ａが蓋体側ストッパー８に衝接して、このテーブル７が蓋体１１の面部１１Ａに対して同一平面内に位置する使用状態（使用位置ロ）になる。
【００４５】
また、小物入れ３０をホルダ収容部１４内に押し込むことで、テーブル操作・支持部２２を後退させてテーブル７の支えを外すと、このテーブル７は支軸６ａを支点にして自重で下方に回動し、このテーブル７の背面部が、テーブル操作・支持部２２の前面部２２ａ側の突条部２３で支えられて、小物入れ３０及びテーブル７でアウターケース１の前面開口部１５が閉塞されて図５に示す折畳み状態（折畳み位置イ）になる。
【００４６】
上記したように、本発明の実施の形態２によれば、小物入れ３０を装置本体から引き出すことによって、テーブル操作・支持部２２も引き出されて、このテーブル操作・支持部２２によりテーブル７を回動させて使用位置ロに支持することができる。このように、小物入れ３０を引き出すという一動作でテーブル７を使用状態にすることができて操作性が良くなり、また、小物入れ３０に小物を入れた状態で、テーブル７の回動操作が可能になる。
【００４７】
なお、上記した本発明のテーブル装置は、自動車の車室内の運転席および助手席間に設けられたアームレストに併設するようにしてもよい。
【００４８】
すなわち、自動車の車室内において、その運転席および助手席間には、背面をリヤシート側に臨ませたアームレストが配置してあり、このアームレストは、コンソールボックスの上部に肘掛け部を設けて構成してあるが、リヤシート側に臨むアームレストの背部にテーブル装置を配設するようにしてもよい。
【００４９】
このようにすることにより、物品保持体（カップホルダ、小物入れ）を引き出すという一動作でテーブルを使用状態にできて操作性が良くなり、テーブルを使用する場合でも物品保持体を使用することができる。しかも、リヤシートの左、右いずれの側からでもテーブルおよび物品保持体（カップホルダ、小物入れ）を使用できるようになる。
【００５０】
また、上記した本発明のテーブル装置は、後部乗員用のモニターなどに応用してもよいし、物品保持体を灰皿等で構成しても良い。
【産業上の利用可能性】
【００５１】
本発明に係るテーブル装置によれば、物品保持体（カップホルダ、小物入れ等）を装置本体から引き出すことによって、テーブル操作・支持部も引き出されて、このテーブル操作・支持部によりテーブルを回動させて使用位置に支持することができる。このように、物品保持体（カップホルダ、小物入れ等）を引き出すという一動作でテーブルを使用状態にすることができて操作性が良くなり、テーブルを使用する場合でも、物品保持体を使用することができるという効果を有しており、カップホルダ、小物入れ等の物品保持体とテーブルを有するテーブル装置と、このテーブル装置を用いた車両用物品保持装置等に有用である。
【図面の簡単な説明】
【００５２】
【図１】本発明に係るテーブル装置の実施の形態１の一部破断した斜視図である。
【図２】同テーブル装置において、カップホルダ及びテーブルを装置本体に格納した状態の斜視図である。
【図３】同テーブル装置において、カップホルダを引出してテーブルを使用状態にした斜視図である。
【図４】同テーブル装置の縦断面図である。
【図５】本発明に係るテーブル装置の実施の形態２において、カップホルダ及びテーブルを装置本体に格納した状態の斜視図である。
【図６】同テーブル装置において、カップホルダを引出してテーブルを使用状態にした斜視図である。
【図７】同テーブル装置の縦断面図である。
【符号の説明】
【００５３】
１      アウターケース（装置本体）
４      インナーボックス（物品収容部）（装置本体）
４Ａ    開口部
５      テーブル保持部
６      ヒンジ
６ａ    支軸
７      テーブル
８      蓋体側ストッパー
９      テーブル側ストッパー
１０    蓋体嵌合部
１１    蓋体
１１Ａ  面部
２０    カップホルダ（物品保持体）
２１    カップ挿入凹部
２２    テーブル操作・支持部
２２ａ  前面部（折畳み位置支持部位）
２２ｂ  頂面部（使用位置支持部位）
２３    突条部
２４    取手部
３０    小物入れ
Ｂ      ボトル（物品）
イ      折畳み位置
ロ      使用位置
【図１】
2006232179.tif 000003
【図２】
2006232179.tif 000004
【図３】
2006232179.tif 000005
【図４】
2006232179.tif 000006
【図５】
2006232179.tif 000007
【図６】
2006232179.tif 000008
【図７】
2006232179.tif 000009